(57)【要約】【課題】積層構造を有する自然歯の配色を切縁部および隣接部を含めて現実により近い状態で表現でき、切縁部や隣接部の内部構造に起因した光学的な影響を簡易に模擬することができるとともに、より少ない部品によって、多くの配色を提供することを可能とする。【解決手段】歯科充填材からなる複数の成形体２〜４を備え、一の成形体３，４が他の一の成形体２，３の外面に着脱可能に、緊密に嵌合する凹部３ａ，４ａを有する歯科用色見本１を提供する。【選択図】      図１
2008302076.tif 000002
【特許請求の範囲】
【請求項１】
歯科充填材からなる複数の成形体を備え、
一の成形体が他の一の成形体の外面に着脱可能に、緊密に嵌合する凹部を有する歯科用色見本。
【請求項２】
歯科充填材からなる複数種の成形体を備え、
一の成形体が他の一の成形体の外面に着脱可能に、緊密に嵌合する凹部を有し、
各種成形体が、歯科充填材を異ならせて複数備えられている歯科用色見本ユニット。
【請求項３】
前記成形体に、嵌合可能な相手の成形体を識別可能な識別子が備えられている請求項２に記載の歯科用色見本ユニット。
【請求項４】
前記識別子が、嵌合可能な一対の成形体にそれぞれ設けられた同一の記号、番号または文字からなる請求項３に記載の歯科用色見本ユニット。
【発明の詳細な説明】
【技術分野】
【０００１】
本発明は、歯科用色見本および歯科用色見本ユニットに関するものである。
【背景技術】
【０００２】
従来、歯科用充填材からなる同一形状の板状体を重ねることにより構成された歯科用色見本が知られている（例えば、特許文献１参照。）。
材料および厚さの異なる板状体を交換して使用することで無数の組み合わせで歯科用色見本を構成することができる。そして、積層方向から見ることによって、積層構造を有する自然歯に近い配色の提供を可能にしている。
【０００３】
【特許文献１】特許第３８７５５１２号明細書
【発明の開示】
【発明が解決しようとする課題】
【０００４】
しかしながら、特許文献１の歯科用色見本は、同一形状の板状体を重ねたものであるため、積層された部分においては自然歯に近い配色を提供することができるものの、自然歯の切縁部や隣接する自然歯に近接した領域である隣接部の内部構造に起因した光学的な影響等を模擬することができないという不都合がある。すなわち、特許文献１の歯科用色見本は、全ての領域において積層状態に構成されているため、積層状態とならない自然歯の切縁部および隣接部の色を表現することができない。そのため、このような自然歯の切縁部や隣接部の光学的な影響等を模擬するには、別途切縁用および隣接部用の色見本が必要となるという不都合がある。
【０００５】
本発明は上述した事情に鑑みてなされたものであって、積層構造を有する自然歯の配色を切縁部および隣接部を含めて現実により近い状態で表現でき、切縁部や隣接部の光学的な影響を簡易に模擬することができるとともに、より少ない部品によって、多くの配色を提供することができる歯科用色見本および歯科用色見本ユニットを提供することを目的としている。
【課題を解決するための手段】
【０００６】
上記目的を達成するために、本発明は以下の手段を提供する。
本発明は、歯科充填材からなる複数の成形体を備え、一の成形体が他の一の成形体の外面に着脱可能に、緊密に嵌合する凹部を有する歯科用色見本を提供する。
本発明によれば、一の成形体の凹部に他の一の成形体の外面を嵌合させることにより、両者が緊密に積層された積層構造体を簡易に構成することができる。同様の構造により３層以上の積層構造体についても簡易に達成することができる。すなわち、不透明質層、象牙質層、エナメル質層が緊密に積層された積層構造からなる自然歯の配色を正確に表現することができる。また、成形体を構成する歯科充填材や厚さを変更することにより、異なる組み合わせの歯科充填材からなる積層構造の歯科用色見本を簡易に構成することができる。
【０００７】
この場合に、他の成形体の外面を嵌合させる凹部を有する成形体は当該他の成形体の外面を２方向以上において覆うことになるので、嵌合状態で、積層方向からみて、積層構造による配色の表現と、切縁部において積層していない最外層による配色の表現とを同時に実現することができる。すなわち、積層構造を有する自然歯の配色を切縁部および隣接部を含めた各領域で現実により近い状態で表現でき、切縁部や隣接部の内部構造に起因した光学的な影響を簡易に模擬することができるとともに、より少ない部品によって、多くの配色を提供することができる。
【０００８】
また、本発明は、歯科充填材からなる複数種の成形体を備え、一の成形体が他の一の成形体の外面に着脱可能に、緊密に嵌合する凹部を有する形状を有し、各種成形体が、歯科充填材を異ならせて複数備えられている歯科用色見本ユニットを提供する。
本発明によれば、一の成形体の凹部に他の一の成形体の外面を嵌合させることにより、自然歯により近い積層構造の歯科用色見本を構成することができる。この場合に、他の成形体の外面を嵌合させる凹部を有する成形体は当該他の成形体の外面を２方向以上において覆うことになるので、嵌合状態で、積層方向からみて、積層構造による配色の表現と、切縁部において積層していない最外層による配色の表現とを同時に実現することができる。すなわち、積層構造を有する自然歯の配色を切縁部および隣接部を含めた各領域で現実により近い状態で表現でき、切縁部や隣接部の内部構造に起因した光学的な影響を簡易に模擬することができるとともに、より少ない部品によって、多くの配色を提供することができる。また、成形体どうしは着脱可能に勘合されているので、歯科充填材を異ならせて複数備えられた成形体を入れ替えて組み合わせることにより、少ない部品で多くの組み合わせの歯科用色見本を簡易に構成することができる。
【０００９】
上記発明においては、前記成形体に、嵌合可能な相手の成形体を識別可能な識別子が備えられていることとしてもよい。
このようにすることで、成形体に設けられた識別子を参照して嵌合可能な相手の成形体を簡易に識別することができる。これにより、歯科用色見本の構成作業を容易にし、作業効率を向上することができる。
【００１０】
また、上記発明においては、前記識別子が、嵌合可能な一対の成形体にそれぞれ設けられた同一の記号、番号または文字からなることとしてもよい。
このようにすることで、成形体に設けられた記号、番号または文字によって相手方の成形体を容易に識別することができる。
【発明の効果】
【００１１】
本発明によれば、積層構造を有する自然歯の配色を切縁部および隣接部を含めて現実により近い状態で表現でき、切縁部や隣接部の光学的な影響を簡易に模擬することができるとともに、より少ない部品によって、多くの配色を提供することができるという効果を奏する。
【発明を実施するための最良の形態】
【００１２】
本発明の一実施形態に係る歯科用色見本１および歯科用色見本ユニットについて、図１〜図３を参照して以下に説明する。
本実施形態に係る歯科用色見本１は、図１〜図３に示されるように、相互に嵌合される３つの成形体２，３，４を備えている。
【００１３】
第１の成形体２は、図１（ａ）および図１（ｂ）に破線で示されるように、略楕円形状の横断面を有する柱状部材である。
第２の成形体３は、第１の成形体２を嵌合させる凹部３ａを有する略楕円形状の横断面を有し、一端が閉塞された筒状部材である。
第３の成形体４は、第２の成形体３と同様に、該第２の成形体３を嵌合させる凹部４ａを有する略楕円形状の横断面を有し、一端が閉塞された筒状部材である。
【００１４】
これらの成形体２〜４は、相互に着脱可能に嵌合させることができ、嵌合させることによって、第１の成形体２の外面に第２の成形体３の凹部３ａの内面を、第２の成形体３の外面に第３の成形体４の凹部４ａの内面をそれぞれ密着させることができるようになっている。
第１の成形体２は、自然歯の不透明質層を模擬し、第２の成形体３は象牙質層を模擬し、第３の成形体４はエナメル質層を模擬することができるように、それぞれの層の模擬に好適な歯科充填材により構成されている。ここで、エナメル質層と象牙質層の光の透過率の差を模擬するため、第３の成形体４の光の透過率は、第２の成形体３の光の透過率より高くなるように設定されている。
【００１５】
また、本実施形態に係る歯科用色見本ユニットは、上記歯科用色見本１を構成する第１〜第３の成形体２〜４と同一形状で、歯科充填材のみを異ならせたものを複数備えている。各成形体２〜４には、図４に示されるように、嵌合可能な相手方の成形体２〜４を識別するための識別子５，６が設けられている。図４に示す例では、識別子５，６は、三角または円のような記号であり、異なる成形体２〜４において同一の識別子５，６どうしが近接するように配置することで、両者を容易に嵌合させることができるようになっている。
【００１６】
このように、本実施形態に係る歯科用色見本１によれば、第１〜第３の成形体２〜４を、一の成形体３，４の凹部３ａ，４ａの内面が他の一の成形体２，３の外面に密着するように嵌合させることにより、自然歯と同様に３層の積層構造体からなる歯科用色見本１として簡易に構成することができる。この場合において、本実施形態によれば、第１〜第３の成形体２〜４を相互に嵌合させるように積層しているので、図１に示されるように、正面から見ると、歯科用色見本１の中央部分は第１〜第３の成形体２〜４が積層された領域Ａ、その周囲に、第２および第３の成形体３，４が積層された領域Ｂ、そして、最外縁に第３の成形体４のみの領域Ｃを同時に見ることができる。
【００１７】
また、成形体２〜４は、それぞれの層における光の透過率を模擬しているので、観察部位とは異なる領域における層の界面等で反射または拡散して、第３の成形体４を透過して観察部位に到達した内部光による色の影響をも模擬することができる。これにより、各領域の積層構造に応じて変化する内部光による色の影響の度合い、または内部光により他の領域から観察部位へ写り込む色の影響を模擬することができる。
【００１８】
すなわち、このような構成においても、本実施形態に係る歯科用色見本１は、実際の自然歯と同様の内部構造となっており、中央部の積層構造となる領域Ａのみならず、その周辺の切縁部となる領域Ｂ，Ｃにおいても実際の自然歯と同様の配色を模擬することができる。この結果、歯科用色見本１は、切縁部や隣接部を含めた各領域の内部構造に起因した光学的な影響を簡易に模擬することができるとともに、より少ない部品によって、多くの配色を提供することができる。
特に、幅方向の寸法を奥行き方向の寸法よりも大きくした略楕円状の横断面を有する歯科用色見本１によれば、自然歯の前歯の形を良好に模擬することができる。
【００１９】
また、本実施形態に係る歯科用色見本ユニットによれば、各種の成形体２〜４について、異なる歯科充填材を使用したものが用意されているので、その中からいずれかを選択して使用することにより、多くの組み合わせの３層の積層構造体からなる歯科用色見本１を簡易に構成することができる。すなわち、成形体２〜４の組み合わせを変更するだけで、多くの患者の歯の色に多様性を考慮した多数の歯科用色見本１を構成することができる。
その場合に、各成形体２〜４に設けられた識別子５，６を確認することにより、相互に嵌合可能な相手方の成形体２〜４を容易に識別することができる。したがって、各種の成形体２〜４を組み合わせて構成する作業を簡易に行うことができ、作業時間を短縮することができる。
【００２０】
なお、本実施形態においては、各成形体３，４の凹部３ａ，４ａと他の成形体２，３の外面とが緊密に密着するように構成することとしたが、成形体２〜４の間にグリセリンのような光学的なマッチング材を介在させて成形体２〜４を隙間なく密着させることにしてもよい。
また、本実施形態においては、前歯の自然歯を模擬するために、比較的平坦な略楕円状の横断面を有する成形体２〜４を例示したが、これに代えて、図５〜図７に示されるように、実際の自然歯の形状に似せた第１〜第３の成形体２′〜４′を採用することにしてもよい。
【００２１】
また、図８に示されるように、本実施形態に係る歯科用色見本１を複数用意し、歯肉を模擬した材料７上に隣接して配置することにより、患者の自然歯を測色する際の測色値における隣接歯や歯肉の影響をも模擬することができる。したがって、より現実に近い歯科用色見本１の選択が可能となる。
【００２２】
ここで、歯科用色見本１のデータベースの構築方法と、その使用方法について説明する。
データベースを作成するには、本実施形態に係る歯科用色見本ユニットの中から任意の第１〜第３の成形体２〜４を選択し、これらを組み合わせて歯科用色見本１を構成して、撮影および測色を行う。そして、得られた撮影画像、測色データ（スペクトル、色値）とともに、歯科用色見本１の構成情報（歯科充填材の種類（あるいは成形体２〜４の識別情報）、厚さ等）を対応づけて記憶する。そして、第１の〜第３の成形体２〜４の組み合わせを変更して同じ動作を繰り返す。
【００２３】
この場合に、本実施形態においては、複数の成形体２〜４が着脱可能に嵌合されているので、成形体２〜４を着脱しながら組み合わせを容易に変更することができ、少ない部品で多数の組み合わせの歯科用色見本１の測色データを取得することができる。
このようにして、データベースが作成されるので、これを実際に使用するには、歯科測色機を用いて患者の歯の測色を行い、データベースに蓄積されている歯科用色見本１のデータとの比較を行う。そして、最も近い歯科用色見本１と患者の歯の画像とを比較表示することにより、オペレータに歯科用色見本１の是非を判断させる。比較の結果、最も近い歯科用色見本１が決定されると、データベースに記憶されている当該歯科用色見本１の構成情報が表示され、歯科医は表示された構成情報を利用して、適正な歯科充填材を選択し、適正な治療を行うことができる。
【００２４】
なお、本実施形態においては、第１〜第３の成形体２〜４を有する３層構造の歯科用色見本１を例示して説明したが、これに代えて、２層構造あるいは４層以上の積層構造の歯科用色見本１を構成してもよい。また、嵌合の相手方の成形体２〜４を識別するための識別子５，６として、円または三角の記号を使用することとしたが、これに代えて、他の記号や番号、文字等を識別子５，６として使用することにしてもよい。
また、第１〜第３の成形体２〜４として、使用する歯科充填材のみが異なる同一形状のものを用意することとしたが、これに代えて、厚さ寸法が異なるものを用意してもよい。
【図面の簡単な説明】
【００２５】
【図１】本発明の一実施形態に係る歯科用色見本を示す（ａ）正面図、（ｂ）平面図である。
【図２】図１の歯科用色見本を示す縦断面図である。
【図３】図１の歯科用色見本を示す分解斜視図である。
【図４】図１の歯科用色見本の各成形体に設けられた識別子の一例を示す底面図である。
【図５】図１の歯科用色見本の変形例を示す側面図である。
【図６】図５の歯科用色見本を示す背面図である。
【図７】図５の歯科用色見本を示す分解縦断面図である。
【図８】複数の歯科用色見本を歯肉を模擬した材料とともに隣接配置した例を示す正面図である。
【符号の説明】
【００２６】
１  歯科用色見本
２，２′  第１の成形体
３，３′  第２の成形体
３ａ，４ａ  凹部
４，４′  第３の成形体
５，６  識別子
【図１】
2008302076.tif 000003
【図２】
2008302076.tif 000004
【図３】
2008302076.tif 000005
【図４】
2008302076.tif 000006
【図５】
2008302076.tif 000007
【図６】
2008302076.tif 000008
【図７】
2008302076.tif 000009
【図８】
2008302076.tif 000010